(57)【要約】【課題】束セグ放送が運用された場合において、受信するセグメントの候補設定を、極力速く行うことが可能となる受信装置を提供する。【解決手段】複数のセグメントの各々に別個の番組情報を割り当てて放送する放送装置から、該番組情報を受信する受信装置であって、指示に応じて、受信するセグメントを、予め設定された選局候補セグメントの中の何れかに切替える、選局部と、所定の情報に基づいて、少なくとも一つのセグメントを該選局候補セグメントに設定する、選局候補設定部と、を備え、前記放送装置が、特定のセグメントを用いて、何れのセグメントに前記番組情報が割り当てられているかを示す運用情報を放送する場合、前記選局候補設定部は、該特定のセグメントの放送を受信して、該運用情報を取得するとともに、該運用情報に従って、前記設定を行う受信装置とする。【選択図】図６
2010050794.tif 000002
【特許請求の範囲】
【請求項１】
複数のセグメントの各々に別個の番組情報を割り当てて放送する放送装置から、該番組情報を受信する受信装置であって、
指示に応じて、受信するセグメントを、予め設定された選局候補セグメントの中の何れかに切替える、選局部と、
所定の情報に基づいて、少なくとも一つのセグメントを該選局候補セグメントに設定する、選局候補設定部と、
を備え、
前記放送装置が、特定のセグメントを用いて、何れのセグメントに前記番組情報が割り当てられているかを示す運用情報を放送する場合、
前記選局候補設定部は、
該特定のセグメントの放送を受信して、該運用情報を取得するとともに、
該運用情報に従って、前記設定を行うことを特徴とする受信装置。
【請求項２】
複数の物理チャンネルにわたり、複数のセグメントの各々に別個の番組情報を割り当てて放送する放送装置から、該番組情報を受信する請求項１に記載の受信装置であって、
前記放送装置が、複数の物理チャンネルの各々における特定のセグメントを用いて、その物理チャンネルにおいて何れのセグメントに前記番組情報が割り当てられているかを示す各運用情報を放送する場合、
前記選局候補設定部は、
該複数の物理チャンネルの特定のセグメントの放送をそれぞれ受信し、該運用情報の各々を取得するとともに、
これらの運用情報に従って、前記設定を行うことを特徴とする受信装置。
【請求項３】
前記選局候補設定部は、
前記特定のセグメントの放送に、前記運用情報が含まれていない物理チャンネルについては、
予め定められた所定のセグメントを、前記選局候補セグメントとして設定することを特徴とする請求項２に記載の受信装置。
【請求項４】
前記選局候補設定部は、
前記特定のセグメントの放送を受信しようとしても、放送受信ができなかった物理チャンネルについては、
何れのセグメントも、前記選局候補セグメントとして設定しないことを特徴とする請求項２または請求項３に記載の受信装置。
【請求項５】
前記特定のセグメントは、
各物理チャンネルが有する１３個のセグメントのうちの、中央のセグメントであることを特徴とする請求項１から請求項４の何れかに記載の受信装置。
【請求項６】
請求項２に記載の受信装置と、
複数の物理チャンネルにわたり、複数のセグメントの各々に別個の番組情報を割り当てて放送する放送装置と、を有し、
該放送装置は、
複数の物理チャンネルの各々における特定のセグメントを用いて、その物理チャンネルにおいて何れのセグメントに前記番組情報が割り当てられているかを示す、各運用情報を放送することを特徴とする放送システム。
【発明の詳細な説明】
【技術分野】
【０００１】
本発明は、放送装置から放送信号を受信する受信装置、およびこれを用いた放送システムに関する。
【背景技術】
【０００２】
従来、地上デジタル放送によるサービスの一つとして、各物理チャンネルの１セグメントを用いた番組情報の放送（ワンセグ放送）が運用されている。このワンセグ放送は、現状、各物理チャンネルが有する１３セグメントのうちの、中央のセグメントが用いられており、主にモバイル端末向けとなっている。
【０００３】
また非特許文献１などによると、地上デジタル放送の各物理チャンネルからワンセグ放送の部分だけを取り出すとともに、他のコンテンツ等も含めてこれらを束ね、１の物理チャンネル分の電波を用いて再送信する方法が検討されている。かかる方法によれば、地上デジタル放送の電波をそのまま再送信するものに比べて、送信電力を抑えることができ、また再送信装置の価格も抑えることが可能になるとされている。
【非特許文献１】「ワンセグ連結ギャップフィラー装置の開発」、技術情報 ＮＨＫ Information、［平成２０年８月８日検索］、インターネット（ＵＲＬ：http://www3.nhk.or.jp/pr/marukaji/m-giju177.html）
【発明の開示】
【発明が解決しようとする課題】
【０００４】
上述した事情に鑑みると、将来的には、各物理チャンネルの複数セグメントの各々に、別個の番組情報が割り当てられて（束ねられて）放送される運用（このような放送を、以下「束セグ放送」と称することがある）が、開始されることも考えられる。またこの場合、各物理チャンネルにおいてどのセグメントに番組情報が割り当てるかが完全に規格化されるまでは、各物理チャンネルの特定セグメント（例えば中央のセグメント）を用いて、番組情報が割り当てられているセグメントを示す、運用情報が放送されることも考えられる。
【０００５】
ところで、テレビ放送受信機といった受信装置においては、ユーザが所望の番組を視聴することができるように、ユーザの指示に応じて受信周波数を切替える選局処理が行われる。また選局処理に先立ち、予めすべてのチャンネルをスキャンして、視聴者の居住地域において放送受信が可能なチャンネルを調べる動作（チャンネルスキャン）も行われる。これにより、基本的には、放送受信が可能であったチャンネルだけが、受信する（選局する）チャンネルの候補として設定される。
【０００６】
しかし束セグ放送の運用が始まった場合、このような従来と同等のチャンネルスキャンが実行されるとすると、全ての物理チャンネル（ＵＨＦ１３〜６２ｃｈ）における全てのセグメント（１物理チャンネルあたり１３個）をスキャンして、放送受信の可否を調べる必要がある。そのため、１物理チャンネルあたり１個のセグメントについてスキャンをすれば良かった場合に比べて、スキャンの対象とすべきセグメント数が大幅に（理論的には１３倍に）増加する。その結果、受信するセグメントの候補を設定するために要する時間が、著しく増大するという不具合が生じる。
【０００７】
本発明は、上述した問題点に鑑みて、束セグ放送が運用された場合において、受信するセグメントの候補設定を、極力速く行うことが可能となる受信装置および放送システムの提供を目的とする。
【課題を解決するための手段】
【０００８】
上記目的を達成するため、本発明に係る受信装置は、複数のセグメントの各々に別個の番組情報を割り当てて放送する放送装置から、該番組情報を受信する受信装置であって、指示に応じて、受信するセグメントを、予め設定された選局候補セグメントの中の何れかに切替える、選局部と、所定の情報に基づいて、少なくとも一つのセグメントを該選局候補セグメントに設定する、選局候補設定部と、を備え、前記放送装置が、特定のセグメントを用いて、何れのセグメントに前記番組情報が割り当てられているかを示す運用情報を放送する場合、前記選局候補設定部は、該特定のセグメントの放送を受信して、該運用情報を取得するとともに、該運用情報に従って、前記設定を行う構成とする。
【０００９】
本構成によれば、特定のセグメントの放送を受信して運用情報を取得するとともに、この運用情報に従って、選局候補セグメントの設定が実行される。そのため、例えば全てのセグメントをサーチして選局候補セグメントの設定を行うものに比べて、当該設定に関わる処理負担を軽減させることができる。その結果、束セグ放送が運用された場合において、受信するセグメントの候補設定を、極力速く行うことが可能となる。
【００１０】
なおここでの「番組」とは、放送の編成の単位を表すものであって、その内容の如何は問わない。例えば、テレビ番組やラジオ番組などに限らず、何らかの情報を放送するためのものであっても構わない。
【００１１】
また、複数の物理チャンネルにわたり、複数のセグメントの各々に別個の番組情報を割り当てて放送する放送装置から、該番組情報を受信する、上記構成の受信装置において、前記放送装置が、複数の物理チャンネルの各々における特定のセグメントを用いて、その物理チャンネルにおいて何れのセグメントに前記番組情報が割り当てられているかを示す各運用情報を放送する場合、前記選局候補設定部は、該複数の物理チャンネルの特定のセグメントの放送をそれぞれ受信し、該運用情報の各々を取得するとともに、これらの運用情報に従って、前記設定を行う構成としてもよい。
【００１２】
本構成によれば、放送装置が、複数の物理チャンネルの各々における特定のセグメントを用いて、その物理チャンネルに対応する各運用情報を放送する場合であっても、これらの運用情報に従って、選局候補セグメントの設定が実行される。そのため、例えば各物理チャンネルの全てのセグメントをサーチして選局候補セグメントの設定を行うものに比べて、当該設定に関わる処理負担を軽減させることができる。その結果、束セグ放送が運用された場合において、受信するセグメントの候補設定を、極力速く行うことが可能となる。
【００１３】
また上記構成において、前記選局候補設定部は、前記特定のセグメントの放送に、前記運用情報が含まれていない物理チャンネルについては、予め定められた所定のセグメントを、前記選局候補セグメントとして設定する構成としてもよい。
【００１４】
本構成によれば、例えば従来のワンセグ放送の運用（中央のセグメントだけが放送に用いられる）のように、運用情報は放送されないものの、放送に用いられるセグメントが予め定まっている場合において、このセグメントを選局候補セグメントとして設定することが可能となる。
【００１５】
また上記構成において、前記選局候補設定部は、前記特定のセグメントの放送を受信しようとしても、放送受信ができなかった物理チャンネルについては、何れのセグメントも、前記選局候補セグメントとして設定しない構成としてもよい。
【００１６】
特定のセグメントの放送を受信しようとしても、放送受信ができなかった物理チャンネルについては、そもそも放送に用いられていないこと等が考えられるため、通常、何れのセグメントも選局は不要であると見込まれる。そこで本構成によれば、選局は不要であると見込まれるセグメントを、選局候補セグメントの設定から除外することが可能となる。その結果、選局の処理をより円滑に実行することが可能となる。
【００１７】
また上記構成としてより具体的には、前記特定のセグメントは、各物理チャンネルが有する１３個のセグメントのうちの、中央のセグメントである構成としてもよい。
【００１８】
また本発明に係る放送システムは、上記構成の受信装置と、複数の物理チャンネルにわたり、複数のセグメントの各々に別個の番組情報を割り当てて放送する放送装置と、を有し、該放送装置は、複数の物理チャンネルの各々における特定のセグメントを用いて、その物理チャンネルにおいて何れのセグメントに前記番組情報が割り当てられているかを示す、各運用情報を放送する構成とする。本構成によれば、受信装置に、受信するセグメントの候補設定を極力速く行わせることが可能となる。
【発明の効果】
【００１９】
上述した通り、本発明に係る受信装置によれば、特定のセグメントの放送を受信して運用情報を取得するとともに、この運用情報に従って、選局候補セグメントの設定が実行される。そのため、例えば全てのセグメントをサーチして選局候補セグメントの設定を行うものに比べて、当該設定に関わる処理負担を軽減させることができる。その結果、束セグ放送が運用された場合において、受信するセグメントの候補設定を、極力速く行うことが可能となる。
【００２０】
また本発明に係る放送システムによれば、受信装置に、受信するセグメントの候補設定を極力速く行わせることが可能となる。
【発明を実施するための最良の形態】
【００２１】
本発明の実施形態について、図１に示す構成の放送システムを例に挙げて、以下に説明する。本図に示すように、放送システム９は、束セグ放送サービスを提供する放送装置１、および放送装置１から放送を受信する受信装置２を有している。
【００２２】
放送装置１は、各物理チャンネルにおける複数セグメントの各々に、別個の番組情報を割り当てた放送（束セグ放送）を実行する。なおここでの物理チャンネルとは、ＵＨＦの１３〜６２ｃｈの何れかであり、各物理チャンネルは、周知の通り、１３個（セグメント番号が０番〜１２番）のセグメントを有している。またセグメント番号は、中央を「０」として、中央に近い側から順に、「１」、「２」、・・・「１２」と割り振られている。換言すれば、周波数の小さいセグメントから順に、「１１」、「９」、「７」、・・・「８」、「１０」、「１２」と割当てられている。ここで放送装置１による放送の具体的内容（ここでは一例として、１３ｃｈ〜１５ｃｈ）について、図２を参照しながら説明する。
【００２３】
図２に示すように放送装置１は、１３ｃｈについては、０〜６番の各セグメントを用いてＡ〜Ｇの各番組を放送する一方、７〜１２番の各セグメントは、放送には用いない。つまり、０〜６番の各セグメントが束セグ放送サービスの対象となっており、他のセグメントは、束セグ放送サービスの対象外となっている。
【００２４】
また１４ｃｈについては、０〜１２番の全てのセグメントを用いてＨ〜Ｔの各番組が放送される。つまり全てのセグメントが、束セグ放送サービスの対象となっている。また１５ｃｈについては、何れのセグメントも放送には用いられない。つまり１５ｃｈそのものが、束セグ放送サービスの対象外となっている。
【００２５】
また放送装置１は、束セグ放送サービスの対象となっているセグメントが含まれる、各物理チャンネルの中央（０番）のセグメントを用いて、番組の情報に加えて、束セグ放送の運用情報をも放送する。この運用情報は、当該運用情報が属している物理チャンネルにおける、束セグ放送用のセグメントを示すもの（つまり、何れのセグメントが束セグ放送に用いられているかを示すもの）である。
【００２６】
本実施形態の場合、１３ｃｈで放送される束セグ放送の運用情報（運用情報１）によれば、１３ｃｈにおいて束セグ放送サービスの対象となっているセグメント（０〜６番のセグメント）が示されることになる。同様に、１４ｃｈで放送される束セグ放送の運用情報（運用情報２）によれば、１４ｃｈにおいて束セグ放送サービスの対象となっているセグメント（０〜１２番のセグメント）が示されることになる。
【００２７】
なお１５ｃｈについては、全てのセグメントが、束セグ放送サービスの対象外となっているため、束セグ放送の運用情報も放送されない。このような束セグ放送の運用情報が放送されることにより、受信装置２は、各物理チャンネルにおけるワンセグ放送用のセグメントを、容易に判別することが可能となる。
【００２８】
また受信装置２は、受信部２１、放送信号処理部２２、ディスプレイ２３、スピーカ２４、演算制御部２５、記憶部２６、および操作部２７などを備えている。受信部２１は、アンテナやチューナ装置を備えている。これにより、放送装置１によって放送された放送信号のうち、予め指定された物理チャンネルにおける、指定されたセグメントの信号を選局して受信し、後段側に伝送する。なお受信する物理チャンネルおよびセグメントの指定は、制御部２７によってなされる。
【００２９】
放送信号処理部２２は、受信部２１から伝送されてきた放送信号から、映像および音声の情報を抽出し、映像信号および音声信号を生成する。そして映像信号をディスプレイ２３に、音声信号をスピーカ２４に伝送する。またディスプレイ２３は、伝送されてきた映像信号に基づいて映像を表示し、スピーカ２４は、伝送されてきた音声信号に基づいて音声を出力する。
【００３０】
演算制御部２５は、受信装置２でなされる各種の処理を制御する。なお当該処理のうち、チャンネルスキャンおよびシーク選局に関する処理の内容については、改めて詳細に説明する。
【００３１】
記憶部２６は、書き換え可能な不揮発性のメモリによって形成されており、束セグ情報テーブルおよびサーチ済みフラグテーブルなど、受信装置２でなされる処理に必要な各種情報を記憶する。ここで束セグ情報テーブルおよびサーチ済みフラグテーブルの内容について、図３および図４を参照しながら説明する。
【００３２】
束セグ情報テーブルは、図３に示すように、各物理チャンネルに対応して、「サーチ結果フラグ」および「束セグ放送フラグ」の情報が割当てられる。なお「サーチ結果フラグ」は「ａ」〜「ｃ」の何れかによって表され、「ａ」は、束セグ放送の運用情報が取得されたことを示し、「ｂ」は、放送信号は受信されたが束セグ放送の運用情報は取得されなかったことを示し、「ｃ」は、放送信号も受信されなかったことを示す。
【００３３】
また「束セグ放送フラグ」は、各セグメントに対応して「０」または「１」によって表され、「０」は、そのセグメントは束セグ放送に用いられていない（つまり、束セグ放送サービスの対象外である）ことを示す一方、「１」は、そのセグメントは束セグ放送に用いられている（つまり、束セグ放送サービスの対象である）ことを示す。なお「束セグ放送フラグ」は、束セグ放送の運用情報に基づいて設定されるものであるため、当該運用情報が取得されなかった物理チャンネルについては設定されない。
【００３４】
またサーチ済みフラグテーブルは、図４に示すように、各物理チャンネルにおける各セグメント（０〜１２番）に対応して、「０」または「１」の値が割り当てられる。そして「０」は、後述するシーク選局において未だサーチがなされていないセグメントを示す一方、「１」は、既にサーチがなされたセグメント（サーチを行わないセグメントを含む）を示す。なお束セグ情報テーブルやサーチ済みフラグの、作成方法や使用方法などについては、改めて説明する。
【００３５】
図１に戻り、操作部２７は、押しボタンスイッチ等を有したユーザインターフェースとして形成されており、ユーザによって操作される。操作内容は、チャンネルスキャンの実行、シーク選局の実行、電源のＯＮ／ＯＦＦ、および音量調整などの指示として、演算制御部２７に伝送される。
【００３６】
上述した構成により、受信装置２は、放送装置１によって実行される束セグ放送を受信し、放送番組の映像表示および音声出力を実行する。これにより、受信装置２のユーザは、束セグ放送によって放送される番組を視聴することが可能となっている。
【００３７】
また受信装置２は、束セグ放送の受信に加えて、適宜、チャンネルスキャンやシーク選局を実行する。なお、チャンネルスキャンは、例えば受信地域の変更によって放送受信の可能なセグメントが変更したような場合に、ユーザの指示に応じて実行されるものである。またシーク選局は、ユーザの指示（希望するセグメントの指定を含む）に応じ、放送受信の可能なセグメントを自動的にサーチした上で、選局を行うものである。次に、チャンネルスキャンおよびシーク選局に関する処理の詳細について、図５〜図８の各フローチャートを参照しながら、以下に説明する。
【００３８】
図５に示すように、受信装置２は、ユーザによってチャンネルスキャンの実行指示がなされたか（ステップＳ１）、および、ユーザによってシーク選局の実行指示がなされたか（ステップＳ２）を監視する。そして、チャンネルスキャンの実行指示がなされた場合には（ステップＳ１のＹ）、受信装置２はチャンネルスキャンを実行し、束セグ情報テーブルを更新する（ステップＳ３）。そして束セグ情報テーブルを更新した後、ステップＳ１の処理に戻る。ここで当該ステップＳ３の処理の具体的な内容を、図６を参照しながら説明する。
【００３９】
まず受信装置２は、束セグ情報テーブル（図３を参照）の内容を初期化する（ステップＳ３１）。その次に、全物理チャンネルにおける最初の物理チャンネルである１３ｃｈを選出し（ステップＳ３２）、この選出された物理チャンネルの中央（０番）のセグメントの信号の受信を実行する（ステップＳ３３）。
【００４０】
そして受信装置２は、当該受信を通じて、放送信号（番組情報）が受信されたか否か（ステップＳ３４）、および、束セグ放送の運用情報が取得されたか否か（ステップＳ３５）を判断する。その結果、放送信号が受信されなかった場合には（ステップＳ３４のＮ）、今回選出された物理チャンネルについては、束セグ情報テーブルのサーチ結果フラグを「ｃ」とする（ステップＳ３６）。また放送信号は受信されたが、束セグ放送の運用情報は取得されなかった場合には（ステップＳ３５のＮ）、今回選出された物理チャンネルについては、束セグ情報テーブルのサーチ結果フラグを「ｂ」とする（ステップＳ３７）。
【００４１】
また束セグ放送の運用情報が取得された場合には（ステップＳ３５のＹ）、今回選出された物理チャンネルについては、束セグ情報テーブルのサーチ結果フラグを「ａ」とする。そして更に、当該運用情報に従って、束セグ情報テーブルの束セグ放送フラグを編集する（ステップＳ３８）。例えば、当該運用情報において、「０〜６番のセグメントが、束セグ放送サービスの対象である」旨が示されている場合、０〜６番のセグメントについての束セグ放送フラグを「１」とし、他は「０」とする。
【００４２】
そしてステップＳ３６〜Ｓ３８の何れかの処理がなされた後、未だ選出されていない物理チャンネルがあれば（ステップＳ３９のＹ）、次の物理チャンネルを新たに選出した上で（ステップＳ４０）、ステップＳ３３の処理を繰り返す。一方、全ての物理チャンネルが選出済みであれば（ステップＳ３９のＮ）、ステップＳ３の処理は終了する。ここまでの処理により、束セグ情報テーブルの更新は完了することとなる。
【００４３】
また図５に戻り、シーク選局の実行指示が有った場合には（ステップＳ２のＹ）、受信装置２はまず、予め設定されている束セグ情報テーブルを用いて、サーチ済みフラグテーブルを更新する（ステップＳ４）。ここで当該ステップＳ４の処理の具体的な内容を、図７を参照しながら説明する。
【００４４】
まず受信装置２は、サーチ済みフラグテーブルの全てのサーチ済みフラグを「０」とすることにより、サーチ済みフラグテーブルを初期化しておく（ステップＳ４１）。その後、受信装置２は、全物理チャンネルのうちの最初の物理チャンネルを選出する（ステップＳ４２）。例えば１３ｃｈから６２ｃｈまで順に選出する場合、まず１３ｃｈが選出されることになる。
【００４５】
そして選出された物理チャンネルについて、予め設定されているサーチ結果フラグが「ａ」〜「ｃ」の何れであるかを判定する（ステップＳ４３、Ｓ４４）。その結果、サーチ結果フラグが「ａ」であれば（ステップＳ４３のＹ）、今回選出された物理チャンネルについては、束セグ放送フラグの内容に従って、サーチ済みフラグを設定する（ステップＳ４５）。具体的には、束セグ放送フラグが「０」のセグメントについては、サーチ済みフラグを「１」（サーチ済み）とし、束セグ放送フラグが「１」のセグメントについては、サーチ済みフラグを「０」（未サーチ）とする。
【００４６】
またサーチ結果フラグが「ｂ」であれば（ステップＳ４４のＹ）、今回選出された物理チャンネルについては、中央（０番）のセグメントのサーチ済みフラグを「０」とする一方、これ以外のセグメントのサーチ済みフラグを「１」とする（ステップＳ４６）。またサーチ結果フラグが「ｃ」であれば（ステップＳ４４のＮ）、今回選出された物理チャンネルについては、全てのセグメントのサーチ済みフラグを「１」とする（ステップＳ４７）。
【００４７】
そしてステップＳ４５〜Ｓ４７の何れかの処理がなされた後、未だ選出されていない物理チャンネルがあれば（ステップＳ４８のＹ）、次の物理チャンネルを新たに選出した上で（ステップＳ４９）、ステップＳ４３の処理を繰り返す。一方、全ての物理チャンネルが選出済みであれば（ステップＳ４８のＮ）、ステップＳ４の処理は終了する。ここまでの処理により、サーチ済みフラグテーブルの更新は完了することとなる。
【００４８】
また図５に戻り、ステップＳ４の処理が終了したら、受信装置２は次に、サーチ済みフラグテーブルを用いて、シーク選局を実行する（ステップＳ５）。そしてシーク選局を実行した後は、ステップＳ１の処理に戻る。ここで当該ステップＳ５の処理の具体的な内容を、図８を参照しながら説明する。
【００４９】
まず受信装置２は、全物理チャンネルにおけるサーチ済みフラグが「０」のセグメントのうち、ユーザによって指定されたセグメントに最も近いものを選出する（ステップＳ５１）。つまり、指定されたセグメントのサーチ済みフラグが「０」であれば、当該セグメントを選出する一方、そうでなければ、サーチ済みフラグが「０」であるセグメントを、指定されたセグメントに近い側から順に、他の物理チャンネルも含めて探索して選出する。
【００５０】
そして選出されたセグメントをサーチし、このセグメントにおける束セグ放送の受信の可否を判定する（ステップＳ５２）。また当該サーチが済んだことに伴い、今回選出されたセグメントのサーチ済みフラグを、「１」に更新する（ステップＳ５３）。
【００５１】
ステップＳ５２の処理により、束セグ放送の受信が可能であると判定されたら（ステップＳ５４のＹ）、受信装置２は、今回選出されたセグメントが用いられた束セグ放送を受信して、放送番組の映像および音声を出力する。また同時に、ユーザによるサーチ継続の指示を受付ける（ステップＳ５５）。
【００５２】
このとき、サーチ継続の指示がなされなかった場合には（ステップＳ５５のＮ）、現在選出されているセグメントを、選局するセグメントに決定する。これにより、シーク選局の目的は達成されたため、ステップＳ５の処理は終了される。しかし、束セグ放送の受信が不可であった場合（ステップＳ５４のＮ）、もしくはサーチ継続の指示が有った場合（ステップＳ５５のＹ）には、受信装置２は、全物理チャンネルにおける全てのセグメントのサーチ済みフラグが「１」であるかを判定する（ステップＳ５６）。
【００５３】
その結果、全てのサーチ済みフラグが「１」であった場合には（ステップＳ５６のＹ）、新たにサーチすべきセグメントは存在しないため、この場合も、ステップＳ５の処理は終了される。なおこのとき、「新たにサーチすべきセグメントは存在しない」ことを表すメッセージ等が、適宜表示されるようにしても良い。
【００５４】
一方、サーチ済みフラグが「０」であるセグメントが残っていれば（ステップＳ５６のＮ）、受信装置２は、サーチ済みフラグが「０」であるセグメントの中から次のセグメントを新たに選出して（ステップＳ５７）、ステップＳ５２の処理を繰り返す。
【００５５】
なおステップＳ５７の処理は、例えば周波数の昇順に、次のセグメントが選出される（つまり、シーク選局が周波数の昇順に実行される）ようにすれば良い。この場合、サーチ済みフラグテーブルの状態が図４の通りであるとすると、仮に現在選出されているセグメントが１３ｃｈの６番のセグメントであれば、次のセグメント（サーチ対象）は、１４ｃｈの１１番のセグメントとなる。ただし、ステップＳ５７の処理は、周波数の昇順や降順に次のセグメントが選出されるものに限られず、他の手法が採用されても構わない。例えば同一の物理チャンネル内では、セグメント番号の昇順に、次のセグメントが選出されるようにしても良い。
【００５６】
なお、上述した処理に関して、ステップＳ５５の処理は省略されるようにしても構わない。この場合、束セグ放送の受信が可能であると判定された（ステップＳ５４のＹ）場合には、ユーザによるサーチ継続の指示を受付けることなく、現在選出されているセグメントが、選局するセグメントに決定されるようにすれば良い。
【００５７】
ここでステップＳ５１およびＳ５７の処理によれば、サーチ済みフラグが「０」のセグメントのみが、シーク選局におけるサーチ（ステップＳ５２）の対象となる。換言すれば、ステップＳ４の処理によりサーチ済みフラグテーブルが設定された段階で、予めサーチ済みフラグが「１」に設定されているセグメントは、シーク選局におけるサーチの対象外となる。
【００５８】
これにより、受信装置２は、シーク選局においてサーチが不必要と考えられるセグメントについては、当該サーチが省略されるようになっている。この点について、以下に具体的に説明する。
【００５９】
まず、ステップＳ３の処理によって、サーチ結果フラグが「ａ」に設定された物理チャンネルについては、束セグ放送の運用情報が取得されている。そのため、当該運用情報に示されているセグメント（束セグ放送サービスの対象であるセグメント）が、シーク選局においてサーチの必要なセグメントであり、逆に示されていないセグメント（束セグ放送サービスの対象外であるセグメント）は、シーク選局においてサーチの不必要なセグメントといえる。
【００６０】
そこで、当該運用情報に示されているセグメントについては、予めサーチ済みフラグを「０」として、シーク選局におけるサーチの対象とする一方、当該運用情報に示されていないセグメントについては、予めサーチ済みフラグを「１」として、シーク選局におけるサーチの対象外としている（ステップＳ４５を参照）。
【００６１】
またステップＳ３の処理によって、サーチ結果フラグが「ｂ」に設定された物理チャンネルについては、束セグ放送の運用情報は取得されていないが、放送信号は受信可能となっている。この場合、当該物理チャンネルにおいては、従来のように、物理チャンネルの中央（０番）のセグメントを用いた放送（いわゆる、ワンセグ放送）の運用がなされている可能性がある。そのため、このようなワンセグ放送をシーク選局の対象とするにあたっては、中央のセグメントが、シーク選局においてサーチの必要なセグメントであり、逆に中央以外のセグメントは、シーク選局においてサーチの不必要なセグメントといえる。
【００６２】
そこで、当該物理チャンネルに関しては、中央のセグメントについては、予めサーチ済みフラグを「０」として、シーク選局におけるサーチの対象とする一方、中央以外のセグメントについては、予めサーチ済みフラグを「１」として、シーク選局におけるサーチの対象外としている（ステップＳ４６を参照）。
【００６３】
ただし、サーチ結果フラグが「ｂ」に設定された物理チャンネルについては、念のために、例えば全てのセグメントのサーチ済みフラグを予め「０」とし、シーク選局におけるサーチの対象としても構わない。これにより、シーク選局の処理時間は増大してしまうが、当該物理チャンネルが束セグ放送サービスの運用対象でありながら、何らかの事情によって、束セグ放送の運用情報が取得されなかった場合であっても、適切に対応することが可能となる。
【００６４】
またステップＳ３の処理によって、サーチ結果フラグが「ｃ」に設定された物理チャンネルについては、そもそも放送装置１による放送に用いられていない、或いは、何らかの理由で受信装置２に電波が届かないといったことが考えられる。そのため当該物理チャンネルについては、通常、シーク選局におけるサーチの対象とする必要はないといえる。
【００６５】
そこで、当該物理チャンネルに関しては、全てのセグメントについて、予めサーチ済みフラグを「１」とし、シーク選局におけるサーチの対象外としている（ステップＳ４７を参照）。ただし、サーチ結果フラグが「ｃ」に設定された物理チャンネルについても、念のため、所定の（例えば中央の）セグメントのサーチ済みフラグを「０」としておき、シーク選局におけるサーチの対象としても構わない。
【００６６】
また、ステップＳ４の処理によってサーチ済みフラグが「０」に設定されたセグメントは、換言すれば、選局（受信するセグメントの切替）の対象となり得るセグメント（選局候補セグメント）ということができる。また、ステップＳ３〜Ｓ４の処理は、チャンネルスキャンの結果等の情報に基づいて、少なくとも一つのセグメントを、選局候補セグメントに設定する処理といえる。そしてステップＳ５の処理は、受信するセグメントを、予め設定された選局候補セグメントの中の何れかに切替える処理といえる。
【００６７】
なお、シーク選局を実行しながら新たな束セグ運用情報を取得できれば、その都度、束セグ情報テーブル及びサーチ済みフラグテーブルを更新して、新たに発見された束セグ放送サービスの対象であるセグメントを、シーク選局におけるサーチの対象としてもよい。
【００６８】
以上に説明した一連の処理（ステップＳ１〜Ｓ５）を実行することにより、受信装置２は、チャンネルスキャンやシーク選局を、適切に実行することが可能となっている。特にチャンネルスキャンについては、従来のチャンネルスキャンの手法を採用している受信装置に比べて、迅速に実行することが可能となっており、処理時間が大幅に短縮されるものとなっている。
【００６９】
すなわち、従来のチャンネルスキャンの手法を採用している受信装置では、束セグ放送サービスに対応させようとすると、チャンネルスキャンの実行時において、各物理チャンネルの全てのセグメントをサーチする必要がある。そのため、チャンネルスキャンに多くの時間が必要となってしまう。しかしながら本実施形態の受信装置２では、各物理チャンネルの１つのセグメントだけをサーチすれば足りるため、チャンネルスキャンに要する時間は、大幅に短縮されることになる。
【００７０】
以上に説明した通り、本実施形態の受信装置２は、束セグ放送（複数のセグメントの各々に別個の番組情報を割り当てた放送）を行う放送装置１から、番組情報を受信する。また、指示に応じて、受信するセグメントを、予め設定された選局候補セグメントの中の何れかに切替える機能と、所定の情報に基づいて、少なくとも一つのセグメントを選局候補セグメントに設定する機能を備えている。
【００７１】
そして、放送装置１が、中央の（特定の）セグメントを用いて、何れのセグメントに番組情報が割り当てられているかを示す、束セグ放送の運用情報を放送する場合、受信装置２は、中央のセグメントの放送を受信して、束セグ放送の運用情報を取得するとともに、この運用情報に従って、少なくとも一つのセグメントを選局候補セグメントに設定するものとなっている。
【００７２】
そのため、例えば全てのセグメントをサーチして選局候補セグメントの設定を行うものに比べて、当該設定に関わる処理負担を軽減させることが可能となっている。その結果、束セグ放送が運用された場合において、受信するセグメントの候補設定を、極力速く行うことが可能となっている。
【００７３】
なお受信装置２は、例えば、携帯用のテレビ放送受信機や、カーナビゲーションシステムなど、束セグ放送サービスへの対応が望まれる種々の電子機器に適用することが可能である。
【００７４】
以上、本発明の実施形態について説明したが、本発明はこの内容に限定されるものではない。また本発明は、その主旨を逸脱しない範囲において、種々の改変を加えて実施され得る。
【産業上の利用可能性】
【００７５】
本発明は、いわゆる束セグ放送を受信する受信装置等の分野において利用可能である。
【図面の簡単な説明】
【００７６】
【図１】本発明の実施形態に係る放送システムの構成図である。
【図２】放送装置による放送の内容を示す説明図である。
【図３】束セグ情報テーブルの内容を示す説明図である。
【図４】サーチ済みフラグテーブルの内容を示す説明図である。
【図５】チャンネルスキャンおよびシーク選局に関する処理の流れ図である。
【図６】ステップＳ３の処理をより具体的に示した流れ図である。
【図７】ステップＳ４の処理をより具体的に示した流れ図である。
【図８】ステップＳ５の処理をより具体的に示した流れ図である。
【符号の説明】
【００７７】
１    放送装置
２    受信装置
９    放送システム
２１    受信部
２２    放送信号処理部
２３    ディスプレイ
２４    スピーカ
２５    演算制御部
２６    記憶部
２７    操作部
【図１】
2010050794.tif 000003
【図２】
2010050794.tif 000004
【図３】
2010050794.tif 000005
【図４】
2010050794.tif 000006
【図５】
2010050794.tif 000007
【図６】
2010050794.tif 000008
【図７】
2010050794.tif 000009
【図８】
2010050794.tif 000010